(57)【要約】【課題】生体内情報伝達機構の発見や新規薬物標的蛋白質の同定を可能とすることができる５−ｏｘｏ−ＥＴＥ受容体タンパク質やその遺伝子、５−ｏｘｏ−ＥＴＥ受容体のアゴニストやアンタゴニストを提供すること。【解決手段】ヒトゲノム配列からＧ蛋白質共役受容体をコードすると思われる遺伝子を多数検索し、それらのいくつかをクローニングした。クローニングした遺伝子の３’末端部分にＧｉ１のαサブユニットの遺伝子を結合したものを作製し、これらを昆虫細胞に導入し、受容体−Ｇｉ１α融合タンパク質を発現させた。この融合タンパク質の受容体部分にアゴニストが結合するとＧｉ１αの部分に［３５Ｓ］−ＧＴＰγＳが結合することが、受容体とＧタンパク質の性質から期待できる。そこで作製した融合タンパク質の中に５−ｏｘｏ−ＥＴＥの用量依存的に［３５Ｓ］−ＧＴＰγＳの結合を増加させるものがあるかどうか検索した。【特許請求の範囲】
【請求項１】
以下の（ａ）又は（ｂ）の５−ｏｘｏ−ＥＴＥ受容体タンパク質をコードするＤＮＡ。
（ａ）配列番号２に示されるアミノ酸配列からなるタンパク質
（ｂ）配列番号２に示されるアミノ酸配列において、１若しくは数個のアミノ酸が欠失、置換若しくは付加されたアミノ酸配列からなるタンパク質
【請求項２】
配列番号１に示される塩基配列又はその相補的配列並びにこれらの配列の一部または全部を含む５−ｏｘｏ−ＥＴＥ受容体タンパク質をコードするＤＮＡ。
【請求項３】
請求項２記載のＤＮＡとストリンジェントな条件下でハイブリダイズし、かつ５−ｏｘｏ−ＥＴＥ受容体タンパク質をコードするＤＮＡ。
【請求項４】
配列番号２に示されるアミノ酸配列からなる５−ｏｘｏ−ＥＴＥ受容体タンパク質。
【請求項５】
配列番号２に示されるアミノ酸配列において、１若しくは数個のアミノ酸が欠失、置換若しくは付加されたアミノ酸配列からなる５−ｏｘｏ−ＥＴＥ受容体タンパク質。
【請求項６】
請求項４又は５記載の５−ｏｘｏ−ＥＴＥ受容体タンパク質と、マーカータンパク質及び／又はペプチドタグとを結合させた融合タンパク質。
【請求項７】
請求項４又は５記載の５−ｏｘｏ−ＥＴＥ受容体タンパク質に特異的に結合する抗５−ｏｘｏ−ＥＴＥ受容体抗体。
【請求項８】
請求項４又は５記載の５−ｏｘｏ−ＥＴＥ受容体タンパク質を産生することができる発現系を含むＤＮＡ。
【請求項９】
請求項４又は５記載の５−ｏｘｏ−ＥＴＥ受容体タンパク質を発現することができる発現系を含む宿主細胞。
【請求項１０】
請求項４又は５記載の５−ｏｘｏ−ＥＴＥ受容体タンパク質をコードする遺伝子機能が染色体上で欠損し又は前記遺伝子が過剰発現する非ヒト動物。
【請求項１１】
請求項４若しくは５記載の５−ｏｘｏ−ＥＴＥ受容体タンパク質又は該５−ｏｘｏ−ＥＴＥ受容体タンパク質を発現している細胞膜と、被検物質とを用いることを特徴とする５−ｏｘｏ−ＥＴＥ受容体の機能促進若しくは抑制物質又は５−ｏｘｏ−ＥＴＥ受容体の発現促進若しくは抑制物質のスクリーニング方法。
【請求項１２】
請求項４若しくは５記載の５−ｏｘｏ−ＥＴＥ受容体タンパク質又は５−ｏｘｏ−ＥＴＥ受容体タンパク質を発現している細胞膜と、５−ｏｘｏ−ＥＴＥと、被検物質とを用いることを特徴とする５−ｏｘｏ−ＥＴＥ受容体の機能促進若しくは抑制物質又は５−ｏｘｏ−ＥＴＥ受容体の発現促進若しくは抑制物質のスクリーニング方法。
【請求項１３】
請求項４若しくは５記載の５−ｏｘｏ−ＥＴＥ受容体タンパク質を発現している細胞と、被検物質とを用いることを特徴とする５−ｏｘｏ−ＥＴＥ受容体の機能促進若しくは抑制物質又はＧ蛋白質共役受容体の発現促進若しくは抑制物質のスクリーニング方法。
【請求項１４】
請求項１０記載の非ヒト動物と、被検物質とを用いることを特徴とする５−ｏｘｏ−ＥＴＥ受容体の機能促進若しくは抑制物質又は５−ｏｘｏ−ＥＴＥ受容体の発現促進若しくは抑制物質のスクリーニング方法。
【請求項１５】
非ヒト動物が、マウスであることを特徴とする請求項１４記載の５−ｏｘｏ−ＥＴＥ受容体の機能促進若しくは抑制物質又は５−ｏｘｏ−ＥＴＥ受容体の発現促進若しくは抑制物質のスクリーニング方法。
【請求項１６】
５−ｏｘｏ−ＥＴＥ受容体のアゴニスト。
【請求項１７】
５−ＨＥＴＥ又はアラキドン酸である請求項１６記載のアゴニスト。
【請求項１８】
５−ｏｘｏ−ＥＴＥ受容体のアンタゴニスト。
【請求項１９】
エイコサペンタエン酸、ドコサヘキサエン酸、リノレン酸又はそれらの誘導体である請求項１８記載のアンタゴニスト。
【請求項２０】
５−ｏｘｏ−ＥＴＥ受容体の機能促進又は発現増強を必要としている患者を治療するのに用いられる医薬組成物であって、有効成分として、請求項４若しくは５記載の５−ｏｘｏ−ＥＴＥ受容体タンパク質、請求項１６若しくは１７記載のアゴニスト、又は請求項１〜３のいずれか記載のＤＮＡを含む医薬組成物。
【請求項２１】
５−ｏｘｏ−ＥＴＥ受容体の機能又は発現の抑制を必要としている患者を治療するのに用いられる医薬組成物であって、有効成分として、請求項１８若しくは１９記載のアンタゴニスト、又は請求項１〜３のいずれか記載のＤＮＡの発現を抑制するＤＮＡ若しくはＲＮＡを含む医薬組成物。
【請求項２２】
検体中の５−ｏｘｏ−ＥＴＥ受容体タンパク質をコードするＤＮＡ配列を、請求項４若しくは５記載の５−ｏｘｏ−ＥＴＥ受容体タンパク質をコードするＤＮＡ配列と比較することを特徴とする５−ｏｘｏ−ＥＴＥ受容体の機能又は発現に関連する疾病の診断方法。
【請求項２３】
請求項４若しくは５記載の５−ｏｘｏ−ＥＴＥ受容体タンパク質をコードするＤＮＡ又はＲＮＡのアンチセンス鎖の全部又は一部からなる５−ｏｘｏ−ＥＴＥ受容体の機能又は発現に関連する疾病の診断用プローブ。
【請求項２４】
請求項２３記載の診断用プローブ及び／又は請求項７記載の抗体を含有する５−ｏｘｏ−ＥＴＥ受容体の機能又は発現に関連する疾病の診断薬。
【発明の詳細な説明】
【０００１】
【発明の属する技術分野】
本発明は、５−ｏｘｏ−ＥＴＥや５−ＨＰＥＴＥに対する受容体（以下、「５−ｏｘｏ−ＥＴＥ受容体」という）タンパク質をコードするＤＮＡや、５−ｏｘｏ−ＥＴＥ受容体タンパク質や、該５−ｏｘｏ−ＥＴＥ受容体のアゴニスト又はアンタゴニスト等に関する。
【０００２】
【従来の技術】
Ｇ蛋白質共役受容体（ＧＰＣＲ：Ｇ−ｐｒｏｔｅｉｎ　ｃｏｕｐｌｅｄ　ｒｅｃｅｐｔｏｒ）は、細胞膜上に存在し、細胞外からのいろいろな情報を受け取る蛋白質である。ＧＰＣＲは膜を７回貫通するという共通構造をもつスーパーファミリーを形成しており、その一つひとつが光、匂い、味といった感覚のセンサーとして働いたり、ホルモン、神経伝達物質、生理活性物質、局所仲介物質等の細胞外リガンドと結合することによって、これら受容体のコンホメーションを変化させて、Ｇｉ、Ｇｔ、Ｇｓ、Ｇｏ、Ｇｑ等のＧ蛋白質（ＧＴＰ−ｂｉｎｄｉｎｇ　ｐｒｏｔｅｉｎ）を活性化して、細胞内にシグナルを伝達することが知られている。また、各種生体の細胞内や臓器内の複雑な機能を調節する細胞外リガンドは、生体機能を調節する医薬品として活用されており、現在使用されている臨床薬の３０〜５０％はＧＰＣＲを標的とするリガンドではないかと考えられている。近年の遺伝子クローニング技術の発達により、そのリガンドが同定されていない“オーファンＧＰＣＲ”の遺伝子が数多く見つかっており、新規ＧＰＣＲの探索やその機能解明が求められており、かかる新規ＧＰＣＲ遺伝子をクローニングすることは、アゴニストやアンタゴニストなどのＧＰＣＲに特異的なリガンドの探索に有用であることが知られている。しかし、ＧＰＣＲはその全てが明らかとされているわけではなく、配列番号２に示されるアミノ酸配列からなるタンパク質ＨＥＯＡＤ５４もＧＰＣＲファミリーとして知られている（特開平１１−９８９８８号公報）が、そのリガンドが何であるかは知られていなかった。
【０００３】
一方、５−ｏｘｏ−ＥＴＥ（５−ｏｘｏ６Ｅ，８Ｚ，１１Ｚ，１４Ｚ−ｅｉｃｏｓａ　ｔｅｔｒａｅｎｏｍｉｃ　ａｃｉｄ）、５−ＨＥＴＥ（５（±）−Ｈｙｄｒｏｘｙｅｉｃｏｓａ−６Ｅ，８Ｚ，１１Ｚ，１４Ｚ　ｔｅｔｒａｅｎｏｍｉｃ　ａｃｉｄ）及び５−ＨＰＥＴＥ（５（Ｓ）−Ｈｙｄｒｏｐｅｒｏｘｙｅｉｃｏｓａ−６Ｅ，８Ｚ，１１Ｚ，１４Ｚ　ｔｅｔｒａｅｎｏｍｉｃ　ａｃｉｄ）はロイコトリエンなどの生理活性脂質が生じる過程での代謝中間体として広く理解されている。また、５−ｏｘｏ−ＥＴＥや５−ＨＰＥＴＥの好中球遊走活性が報告され、特に、５−ｏｘｏ−ＥＴＥは、好酸球、単球、及び好中球等で合成され、少なくとも好酸球の組織への浸潤反応を起こし、また、ＰＡＦ、ＬＴＢ４、及びＬＴＤ４より強い遊走活性があると報告されている。５−ｏｘｏ−ＥＴＥや５−ＨＰＥＴＥの受容体の存在も示唆されているが、その具体的な生体内生理活性や受容体の実体は明らかではなく、これらは教科書レベルでは一般に生体内生理活性物質としては認識されていない。
【０００４】
他方、ＳＯＳＵＩ（ｈｔｔｐ：／／ｓｏｓｕｉ．ｐｒｏｔｅｏｍｅ．ｂｉｏ．ｔｕａｔ．ａｃ．ｊｐ／ｓｏｓｕｉｆｒａｍｅ０．ｈｔｍｌ）は蛋白質の一次構造からアミノ酸ごとの疎水性パラメーターなどを利用して、その膜貫通領域を予想するために開発されたプログラムである。すでに数多くの既知、および未知の蛋白質においてその構造予測に適応され、さらにゲノム遺伝子配列上で膜結合型蛋白質をコードする翻訳領域（ＯＲＦ：ｏｐｅｎ　ｒｅａｄｉｎｇ　ｆｒａｍｅ）を同定することなどに利用されている。
【０００５】
【発明が解決しようとする課題】
ＧＰＣＲ及びその内在性リガンドは、これらに作用する薬剤の研究や、当該遺伝子及びその変異体の遺伝治療等への応用など、新たな治療法への応用の可能性が期待される。また、新規ＧＰＣＲ遺伝子の解析を通して新しい生体内情報伝達機構の発見や新規薬物標的蛋白質の同定も期待できる。本発明の課題は、生体内情報伝達機構の発見や新規薬物標的蛋白質の同定を可能とすることができる５−ｏｘｏ−ＥＴＥ受容体タンパク質やその遺伝子、５−ｏｘｏ−ＥＴＥ受容体のアゴニストやアンタゴニストを提供することにある。
【０００６】
【課題を解決するための手段】
これまでに５−ｏｘｏ−ＥＴＥは好中球に対して正の走化性を誘導する物質であることが分かっていたが、その情報伝達を担う受容体の構造については不明であった。本発明者らはオーファンＧＰＣＲのリガンド探索法として、受容体とＧαの融合蛋白質を用いる方法を考案した。本発明者らはヒトゲノム配列からＧ蛋白質共役受容体をコードすると思われる遺伝子を多数検索し、それらのいくつかをクローニングした。クローニングした遺伝子の３’末端部分にＧｉ１のαサブユニットの遺伝子を結合したものを作製し、これらを昆虫細胞に導入し、受容体−Ｇｉ１α融合タンパク質を発現させた。この融合タンパク質の受容体部分にアゴニストが結合するとＧｉ１αの部分に［３５Ｓ］−ＧＴＰγＳが結合することが、受容体とＧタンパク質の性質から期待できる。そこで作製した融合タンパク質の中に５−ｏｘｏ−ＥＴＥの用量依存的に［３５Ｓ］−ＧＴＰγＳの結合を増加させるものがあるかどうか検索したところ、ある融合タンパク質の作製に利用された遺伝子は、５−ｏｘｏ−ＥＴＥや５−ＨＰＥＴＥに対する受容体の遺伝子であることを確認し、オーファンＧＰＣＲのひとつのリガンドが５−ｏｘｏ−ＥＴＥであることを見い出した。
【０００７】
一方、このオーファンＧＰＣＲは、免疫系組織、血球系組織に高く発現しており、少なくとも各種リンパ球（ヘルパーＴ細胞、キラーＴ細胞、Ｂ細胞）、単球、好酸球、好塩基球、および等に発現していることも明らかにしている。これらの結果から、５−ｏｘｏ−ＥＴＥは、免疫機能のこれら主役細胞に広範に作用する新しいタイプのケモカインと考えられる。今まで見出されているケモカインは内因性の白血球遊走・活性化作用を有する塩基性の強い、ヘパリン結含性活性ポリペプチドの総称であり、その構造から現在４つのサブファミリーに分けられている。今回、本発明者らが新たに見出したオーファンＧＰＣＲの内在性リガンド５−ｏｘｏ−ＥＴＥは、他の脂質性の白血球遊走因子と同じくアラキドン酸代謝物であり、従来のペプチド性ケモカインとは別のタイプのケモカインと見なすことが出来る。
【０００８】
上記融合タンパク質を用いた同様のアゴニストのスクリーニングから、５−ｏｘｏ−ＥＴＥや５−ＨＰＥＴＥに対する受容体には、５−ｏｘｏ−ＥＴＥや５−ＨＰＥＴＥが作用し、そのＥＣ５０はそれぞれ約１ｎＭ、１７ｎＭであることが分かった。また、これら５−ｏｘｏ−ＥＴＥや５−ＨＰＥＴＥだけでなく、５−ＨＥＴＥやアラキドン酸もアゴニストとして作用し、アラキドン酸は高濃度においてアゴニスト活性を示した。さらにこの融合タンパク質について５−ｏｘｏ−ＥＴＥ存在下での［３５Ｓ］−ＧＴＰγＳの取込みを阻害するアンタゴニストを検索したところ、エイコサペンタエン酸、ドコサヘキサエン酸、リノレン酸又はそれらの誘導体がアンタゴニストとして働くことが分かった。
本発明は、以上の知見に基づいて完成されるに至ったものである。
【０００９】
すなわち本発明は、以下の（ａ）又は（ｂ）の５−ｏｘｏ−ＥＴＥ受容体タンパク質をコードするＤＮＡ。（ａ）配列番号２に示されるアミノ酸配列からなるタンパク質（ｂ）配列番号２に示されるアミノ酸配列において、１若しくは数個のアミノ酸が欠失、置換若しくは付加されたアミノ酸配列からなるタンパク質（請求項１）や、配列番号１に示される塩基配列又はその相補的配列並びにこれらの配列の一部または全部を含む５−ｏｘｏ−ＥＴＥ受容体タンパク質をコードするＤＮＡ（請求項２）や、請求項２記載のＤＮＡとストリンジェントな条件下でハイブリダイズし、かつ５−ｏｘｏ−ＥＴＥ受容体タンパク質をコードするＤＮＡ（請求項３）や、配列番号２に示されるアミノ酸配列からなる５−ｏｘｏ−ＥＴＥ受容体タンパク質（請求項４）や、配列番号２に示されるアミノ酸配列において、１若しくは数個のアミノ酸が欠失、置換若しくは付加されたアミノ酸配列からなる５−ｏｘｏ−ＥＴＥ受容体タンパク質（請求項５）や、請求項４又は５記載の５−ｏｘｏ−ＥＴＥ受容体タンパク質と、マーカータンパク質及び／又はペプチドタグとを結合させた融合タンパク質（請求項６）や、請求項４又は５記載の５−ｏｘｏ−ＥＴＥ受容体タンパク質に特異的に結合する抗５−ｏｘｏ−ＥＴＥ受容体抗体（請求項７）や、請求項４又は５記載の５−ｏｘｏ−ＥＴＥ受容体タンパク質を産生することができる発現系を含むＤＮＡ（請求項８）や、請求項４又は５記載の５−ｏｘｏ−ＥＴＥ受容体タンパク質を発現することができる発現系を含む宿主細胞（請求項９）や、請求項４又は５記載の５−ｏｘｏ−ＥＴＥ受容体タンパク質をコードする遺伝子機能が染色体上で欠損し又は前記遺伝子が過剰発現する非ヒト動物（請求項１０）や、請求項４若しくは５記載の５−ｏｘｏ−ＥＴＥ受容体タンパク質又は該５−ｏｘｏ−ＥＴＥ受容体タンパク質を発現している細胞膜と、被検物質とを用いることを特徴とする５−ｏｘｏ−ＥＴＥ受容体の機能促進若しくは抑制物質又は５−ｏｘｏ−ＥＴＥ受容体の発現促進若しくは抑制物質のスクリーニング方法（請求項１１）や、請求項４若しくは５記載の５−ｏｘｏ−ＥＴＥ受容体タンパク質又は５−ｏｘｏ−ＥＴＥ受容体タンパク質を発現している細胞膜と、５−ｏｘｏ−ＥＴＥと、被検物質とを用いることを特徴とする５−ｏｘｏ−ＥＴＥ受容体の機能促進若しくは抑制物質又は５−ｏｘｏ−ＥＴＥ受容体の発現促進若しくは抑制物質のスクリーニング方法（請求項１２）や、請求項４若しくは５記載の５−ｏｘｏ−ＥＴＥ受容体タンパク質を発現している細胞と、被検物質とを用いることを特徴とする５−ｏｘｏ−ＥＴＥ受容体の機能促進若しくは抑制物質又はＧ蛋白質共役受容体の発現促進若しくは抑制物質のスクリーニング方法（請求項１３）や、請求項１０記載の非ヒト動物と、被検物質とを用いることを特徴とする５−ｏｘｏ−ＥＴＥ受容体の機能促進若しくは抑制物質又は５−ｏｘｏ−ＥＴＥ受容体の発現促進若しくは抑制物質のスクリーニング方法（請求項１４）や、非ヒト動物が、マウスであることを特徴とする請求項１４記載の５−ｏｘｏ−ＥＴＥ受容体の機能促進若しくは抑制物質又は５−ｏｘｏ−ＥＴＥ受容体の発現促進若しくは抑制物質のスクリーニング方法（請求項１５）に関する。
【００１０】
また本発明は、５−ｏｘｏ−ＥＴＥ受容体のアゴニスト（請求項１６）や、５−ＨＥＴＥ又はアラキドン酸である請求項１６記載のアゴニスト（請求項１７）や、５−ｏｘｏ−ＥＴＥ受容体のアンタゴニスト（請求項１８）や、エイコサペンタエン酸、ドコサヘキサエン酸、リノレン酸又はそれらの誘導体である請求項１８記載のアンタゴニスト（請求項１９）や、５−ｏｘｏ−ＥＴＥ受容体の機能促進又は発現増強を必要としている患者を治療するのに用いられる医薬組成物であって、有効成分として、請求項４若しくは５記載の５−ｏｘｏ−ＥＴＥ受容体タンパク質、請求項１６若しくは１７記載のアゴニスト、又は請求項１〜３のいずれか記載のＤＮＡを含む医薬組成物（請求項２０）や、５−ｏｘｏ−ＥＴＥ受容体の機能又は発現の抑制を必要としている患者を治療するのに用いられる医薬組成物であって、有効成分として、請求項１８若しくは１９記載のアンタゴニスト、又は請求項１〜３のいずれか記載のＤＮＡの発現を抑制するＤＮＡ若しくはＲＮＡを含む医薬組成物（請求項２１）や、検体中の５−ｏｘｏ−ＥＴＥ受容体タンパク質をコードするＤＮＡ配列を、請求項４若しくは５記載の５−ｏｘｏ−ＥＴＥ受容体タンパク質をコードするＤＮＡ配列と比較することを特徴とする５−ｏｘｏ−ＥＴＥ受容体の機能又は発現に関連する疾病の診断方法（請求項２２）や、請求項４若しくは５記載の５−ｏｘｏ−ＥＴＥ受容体タンパク質をコードするＤＮＡ又はＲＮＡのアンチセンス鎖の全部又は一部からなる５−ｏｘｏ−ＥＴＥ受容体の機能又は発現に関連する疾病の診断用プローブ（請求項２３）や、請求項２３記載の診断用プローブ及び／又は請求項７記載の抗体を含有する５−ｏｘｏ−ＥＴＥ受容体の機能又は発現に関連する疾病の診断薬（請求項２４）に関する。
【００１１】
【発明の実施の形態】
本発明の５−ｏｘｏ−ＥＴＥ受容体タンパク質をコードするＤＮＡとしては、配列番号２に示されるアミノ酸配列からなる５−ｏｘｏ−ＥＴＥ受容体タンパク質や、配列番号２に示されるアミノ酸配列において、１若しくは数個のアミノ酸が欠失、置換若しくは付加されたアミノ酸配列からなる５−ｏｘｏ−ＥＴＥ受容体タンパク質をコードするＤＮＡを挙げることができ、これら５−ｏｘｏ−ＥＴＥ受容体タンパク質をコードするＤＮＡは、そのＤＮＡ配列情報等に基づき、例えばヒト由来の５−ｏｘｏ−ＥＴＥ受容体遺伝子においてはヒト遺伝子ライブラリーやヒトｃＤＮＡライブラリーなどから公知の方法により調製することができる。
【００１２】
また、本発明の５−ｏｘｏ−ＥＴＥ受容体タンパク質をコードするＤＮＡとしては、配列番号１に示される塩基配列又はその相補的配列並びにこれらの配列の一部または全部を含むＤＮＡや、これらＤＮＡをプローブとして、ヒト由来のＤＮＡライブラリーに対してストリンジェントな条件下でハイブリダイゼーションし、かつ５−ｏｘｏ−ＥＴＥ受容体タンパク質をコードするＤＮＡを挙げることができる。かかるＤＮＡを取得するためのハイブリダイゼーションの条件としては、例えば、４２℃でのハイブリダイゼーション、及び１×ＳＳＣ、０．１％のＳＤＳを含む緩衝液による４２℃での洗浄処理を挙げることができ、６５℃でのハイブリダイゼーション、及び０．１×ＳＳＣ，０．１％のＳＤＳを含む緩衝液による６５℃での洗浄処理をより好ましく挙げることができる。
【００１３】
本発明の５−ｏｘｏ−ＥＴＥ受容体タンパク質としては、配列番号２に示されるアミノ酸配列からなる５−ｏｘｏ−ＥＴＥ受容体タンパク質や、配列番号２に示されるアミノ酸配列において、１若しくは数個のアミノ酸が欠失、置換若しくは付加されたアミノ酸配列からなる５−ｏｘｏ−ＥＴＥに対するタンパク質や、これらの組換えタンパク質を具体的に挙げることができる。かかる５−ｏｘｏ−ＥＴＥ受容体タンパク質は、そのＤＮＡ配列情報等に基づき公知の方法で調製することができる。
【００１４】
上記配列番号１に示される塩基配列からなる５−ｏｘｏ−ＥＴＥ受容体タンパク質をコードするＤＮＡの等価物として、配列番号３に示される塩基配列からなるＤＮＡ（３１％）、配列番号５に示される塩基配列からなるＤＮＡ（３１％）、配列番号７に示される塩基配列からなるＤＮＡ（３２％）、又は配列番号９に示される塩基配列からなるＤＮＡ（３％）を挙げることができる（カッコ内の数値は配列番号１に示される塩基配列からなるＤＮＡとのホモロジーを示す）。また、配列番号２に示されるアミノ酸配列からなる５−ｏｘｏ−ＥＴＥ受容体タンパク質の等価物として、配列番号４、６、８又は１０にそれぞれ示されるアミノ酸配列からなるＧＰＣＲタンパク質を挙げることができる。
【００１５】
本発明の融合タンパク質とは、本発明の５−ｏｘｏ−ＥＴＥ受容体タンパク質に、マーカータンパク質及び／又はペプチドタグを結合させたものをいい、マーカータンパク質としては、従来知られているマーカータンパク質であればどのようなものでもよく、例えば、アルカリフォスファターゼ、抗体のＦｃ領域、ＨＲＰ、ＧＦＰなどを具体的に挙げることができ、また本発明におけるペプチドタグとしては、Ｍｙｃタグ、Ｈｉｓタグ、ＦＬＡＧタグ、ＧＳＴタグなどの従来知られているペプチドタグを具体的に例示することができる。かかる融合タンパク質は、常法により作製することができ、Ｎｉ−ＮＴＡとＨｉｓタグの親和性を利用した５−ｏｘｏ−ＥＴＥ受容体タンパク質の精製や、５−ｏｘｏ−ＥＴＥ受容体タンパク質の検出や、５−ｏｘｏ−ＥＴＥ受容体タンパク質に対する抗体の定量や、その他当該分野の研究用試薬としても有用である。
【００１６】
本発明の抗５−ｏｘｏ−ＥＴＥ受容体抗体としては、５−ｏｘｏ−ＥＴＥ受容体タンパク質に特異的に結合する抗体であればどのようなものでもよく、モノクローナル抗体、ポリクローナル抗体、キメラ抗体、一本鎖抗体、ヒト化抗体等の免疫特異的な抗体を具体的に挙げることができ、これらは上記５−ｏｘｏ−ＥＴＥ受容体タンパク質を抗原として用い、常法により作製することができるが、その中でもモノクローナル抗体がその特異性の点でより好ましい。かかるモノクローナル抗体等の５−ｏｘｏ−ＥＴＥ受容体タンパク質に特異的に結合する抗体は、例えば、５−ｏｘｏ−ＥＴＥ受容体タンパク質の変異又は欠失に起因する疾病の診断や５−ｏｘｏ−ＥＴＥ受容体タンパク質の分子機構を明らかにする上で有用である。
【００１７】
上記５−ｏｘｏ−ＥＴＥ受容体タンパク質に対する抗体は、慣用のプロトコールを用いて、動物（好ましくはヒト以外）に該５−ｏｘｏ−ＥＴＥ受容体タンパク質若しくはエピトープを含む断片、又は該タンパク質を膜表面に発現した細胞を投与することにより産生され、例えばモノクローナル抗体の調製には、連続細胞系の培養物により産生される抗体をもたらす、ハイブリドーマ法（Ｎａｔｕｒｅ　２５６，　４９５−４９７，　１９７５）、トリオーマ法、ヒトＢ細胞ハイブリドーマ法（Ｉｍｍｕｎｏｌｏｇｙ　Ｔｏｄａｙ　４，７２，　１９８３）及びＥＢＶ−ハイブリドーマ法（ＭＯＮＯＣＬＯＮＡＬ　ＡＮＴＩＢＯＤＩＥＳ　ＡＮＤ　ＣＡＮＣＥＲ　ＴＨＥＲＡＰＹ，　ｐｐ．７７−９６，　Ａｌａｎ　Ｒ．Ｌｉｓｓ，　Ｉｎｃ．，　１９８５）など任意の方法を用いることができる。以下に５−ｏｘｏ−ＥＴＥ受容体タンパク質として、マウス由来の５−ｏｘｏ−ＥＴＥ受容体タンパク質を例に挙げてマウス由来の５−ｏｘｏ−ＥＴＥ受容体タンパク質に対して特異的に結合するモノクローナル抗体、すなわち抗マウス５−ｏｘｏ−ＥＴＥ受容体モノクローナル抗体の作製方法を説明する。
【００１８】
抗マウス５−ｏｘｏ−ＥＴＥ受容体モノクローナル抗体は、抗マウス５−ｏｘｏ−ＥＴＥ受容体モノクローナル抗体産生ハイブリドーマをインビボ又はインビトロで常法により培養することによって生産することができる。例えば、インビボ系においては、齧歯動物、好ましくはマウス又はラットの腹腔内で培養することにより、またインビトロ系においては、動物細胞培養用培地で培養することにより得ることができる。インビトロ系でハイブリドーマを培養するための培地としては、ストレプトマイシンやペニシリン等の抗生物質を含むＲＰＭＩ１６４０又はＭＥＭ等の細胞培養培地を例示することができる。
【００１９】
抗マウス５−ｏｘｏ−ＥＴＥ受容体モノクローナル抗体産生ハイブリドーマは、例えば、マウス以外の動物種の５−ｏｘｏ−ＥＴＥ受容体タンパク質を用いてＢＡＬＢ／ｃマウスを免疫し、免疫されたマウスの脾臓細胞とマウスＮＳ−１細胞（ＡＴＣＣ　ＴＩＢ−１８）とを、常法により細胞融合させ、免疫蛍光染色パターンによりスクリーニングすることにより、抗マウス５−ｏｘｏ−ＥＴＥ受容体モノクローナル抗体産生ハイブリドーマを作出することができる。また、かかるモノクローナル抗体の分離・精製方法としては、タンパク質の精製に一般的に用いられる方法であればどのような方法でもよく、アフィニティークロマトグラフィー等の液体クロマトグラフィーを具体的に例示することができる。
【００２０】
また、上記５−ｏｘｏ−ＥＴＥ受容体タンパク質に対する一本鎖抗体をつくるためには、一本鎖抗体の調製法（米国特許第４，９４６，７７８号）を適用することができる。また、ヒト化抗体を発現させるために、トランスジェニックマウス又は他の哺乳動物等を利用したり、上記抗体を用いて、その５−ｏｘｏ−ＥＴＥ受容体タンパク質を発現するクローンを単離・同定したり、アフィニティークロマトグラフィーでそのポリペプチドを精製することもできる。５−ｏｘｏ−ＥＴＥ受容体タンパク質に対する抗体は、５−ｏｘｏ−ＥＴＥ受容体タンパク質の分子機構を明らかにする上で有用である。
【００２１】
また上記抗５−ｏｘｏ−ＥＴＥ受容体モノクローナル抗体等の抗体に、例えば、ＦＩＴＣ（フルオレセインイソシアネート）又はテトラメチルローダミンイソシアネート等の蛍光物質や、１２５Ｉ、３２Ｐ、１４Ｃ、３５Ｓ又は３Ｈ等のラジオアイソトープや、アルカリホスファターゼ、ペルオキシダーゼ、β−ガラクトシダーゼ又はフィコエリトリン等の酵素で標識したものや、グリーン蛍光タンパク質（ＧＦＰ）等の蛍光発光タンパク質などを融合させた融合タンパク質を用いることによって、上記５−ｏｘｏ−ＥＴＥ受容体タンパク質の機能解析を行うことができる。また免疫学的測定方法としては、ＲＩＡ法、ＥＬＩＳＡ法、蛍光抗体法、プラーク法、スポット法、血球凝集反応法、オクタロニー法等の方法を挙げることができる。
【００２２】
本発明はまた、上記５−ｏｘｏ−ＥＴＥ受容体タンパク質を産生することができる発現系を含むＤＮＡや、５−ｏｘｏ−ＥＴＥ受容体タンパク質を発現することができる発現系を含む宿主細胞に関する。かかる５−ｏｘｏ−ＥＴＥ受容体タンパク質をコードする遺伝子ＤＮＡの宿主細胞への導入は、Ｄａｖｉｓら（ＢＡＳＩＣ　ＭＥＴＨＯＤＳ　ＩＮ　ＭＯＬＥＣＵＬＡＲ　ＢＩＯＬＯＧＹ，　１９８６）及びＳａｍｂｒｏｏｋら（ＭＯＬＥＣＵＬＡＲ　ＣＬＯＮＩＮＧ：　Ａ　ＬＡＢＯＲＡＴＯＲＹ　ＭＡＮＵＡＬ，　２ｎｄ　Ｅｄ．，　Ｃｏｌｄ　Ｓｐｒｉｎｇ　Ｈａｒｂｏｒ　Ｌａｂｏｒａｔｏｒｙ　Ｐｒｅｓｓ，　Ｃｏｌｄ　Ｓｐｒｉｎｇ　Ｈａｒｂｏｒ，　Ｎ．Ｙ．，　１９８９）などの多くの標準的な実験室マニュアルに記載される方法、例えば、リン酸カルシウムトランスフェクション、ＤＥＡＥ−デキストラン媒介トランスフェクション、トランスベクション（ｔｒａｎｓｖｅｃｔｉｏｎ）、マイクロインジェクション、カチオン性脂質媒介トランスフェクション、エレクトロポレーション、形質導入、スクレープローディング　（ｓｃｒａｐｅ　ｌｏａｄｉｎｇ）、弾丸導入（ｂａｌｌｉｓｔｉｃ　ｉｎｔｒｏｄｕｃｔｉｏｎ）、感染等により行うことができる。そして、宿主細胞としては、大腸菌、ストレプトミセス、枯草菌、ストレプトコッカス、スタフィロコッカス等の細菌原核細胞や、酵母、アスペルギルス等の真菌細胞や、ドロソフィラＳ２、スポドプテラＳｆ９等の昆虫細胞や、Ｌ細胞、ＣＨＯ細胞、ＣＯＳ細胞、ＨｅＬａ細胞、Ｃ１２７細胞、ＢＡＬＢ／ｃ３Ｔ３細胞（ジヒドロ葉酸レダクターゼやチミジンキナーゼなどを欠損した変異株を含む）、ＢＨＫ２１細胞、ＨＥＫ２９３細胞、Ｂｏｗｅｓメラノーマ細胞、卵母細胞等の動植物細胞などを挙げることができる。
【００２３】
また、発現系としては、上記５−ｏｘｏ−ＥＴＥ受容体タンパク質を宿主細胞内で発現させることができる発現系であればどのようなものでもよく、染色体、エピソーム及びウイルスに由来する発現系、例えば、細菌プラスミド由来、酵母プラスミド由来、ＳＶ４０のようなパポバウイルス、ワクシニアウイルス、アデノウイルス、鶏痘ウイルス、仮性狂犬病ウイルス、レトロウイルス由来のベクター、バクテリオファージ由来、トランスポゾン由来及びこれらの組合せに由来するベクター、例えば、コスミドやファージミドのようなプラスミドとバクテリオファージの遺伝的要素に由来するものを挙げることができる。これら発現系は、発現を起こさせるだけでなく、発現を調節する制御配列を含んでいてもよい。
【００２４】
上記発現系を含んでなる宿主細胞は、５−ｏｘｏ−ＥＴＥ受容体タンパク質の製造に用いることができる。例えば上記宿主細胞を培養し、培養物から５−ｏｘｏ−ＥＴＥ受容体タンパク質を回収し精製することにより製造することができる。５−ｏｘｏ−ＥＴＥ受容体タンパク質を細胞培養物から回収し精製するには、硫酸アンモニウムまたはエタノール沈殿、酸抽出、アニオンまたはカチオン交換クロマトグラフィー、ホスホセルロースクロマトグラフィー、疎水性相互作用クロマトグラフィー、アフィニティークロマトグラフィー、ハイドロキシアパタイトクロマトグラフィーおよびレクチンクロマトグラフィーを含めた公知の方法、好ましくは、高速液体クロマトグラフィーが用いられる。特に、アフィニティークロマトグラフィーに用いるカラムとしては、例えば、抗５−ｏｘｏ−ＥＴＥ受容体モノクローナル抗体等の抗５−ｏｘｏ−ＥＴＥ受容体抗体を結合させたカラムや、上記５−ｏｘｏ−ＥＴＥ受容体に通常のペプチドタグを付加した場合は、このペプチドタグに親和性のある物質を結合したカラムを用いることにより、かかる５−ｏｘｏ−ＥＴＥ受容体を得ることができる。
【００２５】
本発明において、上記５−ｏｘｏ−ＥＴＥ受容体をコードする遺伝子が過剰発現する非ヒト動物とは、野生型非ヒト動物に比べてかかる５−ｏｘｏ−ＥＴＥ受容体タンパク質の発現レベルが上昇し、５−ｏｘｏ−ＥＴＥ受容体タンパク質を大量に産生する非ヒト動物をいい、また、５−ｏｘｏ−ＥＴＥ受容体タンパク質をコードする遺伝子機能が染色体上で欠損した非ヒト動物とは、染色体上の５−ｏｘｏ−ＥＴＥ受容体タンパク質をコードする遺伝子の一部若しくは全部が破壊・欠損・置換等の遺伝子変異により不活性化され、５−ｏｘｏ−ＥＴＥ受容体タンパク質を発現する機能を失なった非ヒト動物をいう。そして、本発明における非ヒト動物としては、ウサギや、マウス、ラット等の齧歯目動物などの非ヒト動物を具体的に挙げることができるが、これらに限定されるものではない。
【００２６】
ところで、メンデルの法則に従い出生してくるホモ接合体非ヒト動物には、５−ｏｘｏ−ＥＴＥ受容体タンパク質欠損型又は過剰発現型とその同腹の野生型とが含まれ、これらホモ接合体非ヒト動物における欠損型又は過剰発現型とその同腹の野生型を同時に用いることによって個体レベルで正確な比較実験をすることができることから、野生型の非ヒト動物、すなわち５−ｏｘｏ−ＥＴＥ受容体タンパク質をコードする遺伝子機能が染色体上で欠損又は過剰発現する非ヒト動物と同種の動物、さらには同腹の動物を、種々の実験等に際して併用することが好ましい。かかる５−ｏｘｏ−ＥＴＥ受容体タンパク質をコードする遺伝子の機能が染色体上で欠損又は過剰発現する非ヒト動物の作製方法を、５−ｏｘｏ−ＥＴＥ受容体タンパク質のノックアウトマウスやトランスジェニックマウスを例にとって以下説明する。
【００２７】
例えば、５−ｏｘｏ−ＥＴＥ受容体タンパク質をコードする遺伝子の機能が染色体上で欠損したマウス、すなわち５−ｏｘｏ−ＥＴＥ受容体タンパク質ノックアウトマウスは、マウス遺伝子ライブラリーからＰＣＲ等の方法により得られた遺伝子断片を用いて、上記５−ｏｘｏ−ＥＴＥ受容体タンパク質をコードする遺伝子をスクリーニングし、スクリーニングされた５−ｏｘｏ−ＥＴＥ受容体タンパク質をコードする遺伝子を、ウイルスベクター等を用いてサブクローンし、ＤＮＡシーケンシングにより特定する。このクローンの５−ｏｘｏ−ＥＴＥ受容体タンパク質をコードする遺伝子の全部又は一部をｐＭＣ１ネオ遺伝子カセット等に置換し、３’末端側にジフテリアトキシンＡフラグメント（ＤＴ−Ａ）遺伝子や単純ヘルペスウイルスのチミジンキナーゼ（ＨＳＶ−ｔｋ）遺伝子等の遺伝子を導入することによって、ターゲットベクターを作製する。
【００２８】
この作製されたターゲティングベクターを線状化し、エレクトロポレーション（電気穿孔）法等によってＥＳ細胞に導入し、相同的組換えを行い、その相同的組換え体の中から、Ｇ４１８やガンシクロビア（ＧＡＮＣ）等の抗生物質により相同的組換えを起こしたＥＳ細胞を選択する。また、この選択されたＥＳ細胞が目的とする組換え体かどうかをサザンブロット法等により確認することが好ましい。その確認されたＥＳ細胞のクローンをマウスの胚盤胞中にマイクロインジェクションし、かかる胚盤胞を仮親のマウスに戻し、キメラマウスを作製する。このキメラマウスを野生型のマウスとインタークロスさせると、ヘテロ接合体マウスを得ることができ、また、このヘテロ接合体マウスをインタークロスさせることによって、本発明の５−ｏｘｏ−ＥＴＥ受容体タンパク質ノックアウトマウスを作製することができる。また、５−ｏｘｏ−ＥＴＥ受容体タンパク質ノックアウトマウスが生起しているかどうかを確認する方法としては、例えば、上記の方法により得られたマウスからＲＮＡを単離してノーザンブロット法等により調べたり、またこのマウスの発現をウエスタンブロット法等により調べる方法がある。
【００２９】
５−ｏｘｏ−ＥＴＥ受容体タンパク質のトランスジェニックマウスは、上記５−ｏｘｏ−ＥＴＥ受容体タンパク質をコードするｃＤＮＡにチキンβ−アクチン、マウスニューロフィラメント、ＳＶ４０等のプロモーター、及びラビットβ−グロビン、ＳＶ４０等のポリＡ又はイントロンを融合させて導入遺伝子を構築し、該導入遺伝子をマウス受精卵の前核にマイクロインジェクションし、得られた卵細胞を培養した後、仮親のマウスの輸卵管に移植し、その後被移植動物を飼育し、産まれた仔マウスから前記ｃＤＮＡを有する仔マウスを選択することによりかかるトランスジェニックマウスを創製することができる。また、ｃＤＮＡを有する仔マウスの選択は、マウスの尻尾等より粗ＤＮＡを抽出し、導入した５−ｏｘｏ−ＥＴＥ受容体タンパク質をコードする遺伝子をプローブとするドットハイブリダイゼーション法や、特異的プライマーを用いたＰＣＲ法等により行うことができる。
【００３０】
本発明はまた、５−ｏｘｏ−ＥＴＥ受容体のアゴニストやアンタゴニストに関する。５−ｏｘｏ−ＥＴＥ受容体のアゴニスト等の機能促進物質又は５−ｏｘｏ−ＥＴＥ受容体のアンタゴニスト等の機能抑制物質のスクリーニング方法としては、前記本発明の５−ｏｘｏ−ＥＴＥ受容体遺伝子の３’末端部分にＧｉｌのαサブユニットの遺伝子が結合したものを作製し、これらを昆虫細胞に導入し、５−ｏｘｏ−ＥＴＥ受容体タンパク質−Ｇｉｌα融合タンパク質を発現させ、この融合タンパク質の受容体部分にＧＤＰ及び［３５Ｓ］−ＧＴＰγＳ存在下で各種リガンド候補化合物等の被検物質を作用させ、膜画分に取り込まれた［３５Ｓ］ＧＴＰγＳの取り込み量を指標に、５−ｏｘｏ−ＥＴＥに対するアゴニストやアンタゴニストのスクリーニングを行うことができる。また、上記スクリーニングの他の態様として、５−ｏｘｏ−ＥＴＥ受容体タンパク質又は５−ｏｘｏ−ＥＴＥ受容体タンパク質を発現している細胞膜と、被検物質とを用いる方法や、５−ｏｘｏ−ＥＴＥ受容体タンパク質又は５−ｏｘｏ−ＥＴＥ受容体タンパク質を発現している細胞膜と、５−ｏｘｏ−ＥＴＥと、被検物質とを用いる方法や、５−ｏｘｏ−ＥＴＥ受容体タンパク質を発現している細胞と、被検物質とを用いる方法や、５−ｏｘｏ−ＥＴＥ受容体タンパク質のノックアウトマウスやトランスジェニックマウス等の非ヒト動物と、被検物質とを用いる方法等を挙げることができる。
【００３１】
上記５−ｏｘｏ−ＥＴＥ受容体タンパク質又は５−ｏｘｏ−ＥＴＥ受容体タンパク質を発現している細胞膜と被検物質とを用いたスクリーニング方法としては、５−ｏｘｏ−ＥＴＥ受容体タンパク質又は細胞膜表面に発現している５−ｏｘｏ−ＥＴＥ受容体タンパク質と被検物質とを接触せしめ、５−ｏｘｏ−ＥＴＥ受容体タンパク質又は細胞膜表面に発現している５−ｏｘｏ−ＥＴＥ受容体タンパク質と、被検物質との結合状態を測定評価する方法を挙げることができる。また、上記５−ｏｘｏ−ＥＴＥ受容体タンパク質又は５−ｏｘｏ−ＥＴＥ受容体タンパク質を発現している細胞膜と、５−ｏｘｏ−ＥＴＥと、被検物質とを用いる方法としては、５−ｏｘｏ−ＥＴＥ受容体タンパク質又は細胞膜表面に発現している５−ｏｘｏ−ＥＴＥ受容体タンパク質と５−ｏｘｏ−ＥＴＥと被検物質とを接触せしめ、５−ｏｘｏ−ＥＴＥ受容体タンパク質又は細胞膜表面に発現している５−ｏｘｏ−ＥＴＥ受容体タンパク質と、５−ｏｘｏ−ＥＴＥとの結合状態を測定評価する方法を挙げることができる。
【００３２】
上記５−ｏｘｏ−ＥＴＥ受容体タンパク質のノックアウトマウスやトランスジェニックマウス等の非ヒト動物と、被検物質とを用いる方法としては、かかる非ヒト動物から得られる５−ｏｘｏ−ＥＴＥ受容体タンパク質発現細胞と被検物質とをあらかじめインビトロで接触せしめた後、かかる５−ｏｘｏ−ＥＴＥ受容体タンパク質発現細胞を５−ｏｘｏ−ＥＴＥの存在下で培養し、該５−ｏｘｏ−ＥＴＥ受容体タンパク質発現細胞における５−ｏｘｏ−ＥＴＥに対する応答を測定・評価する方法や、前記非ヒト動物から得られる５−ｏｘｏ−ＥＴＥ受容体タンパク質発現細胞と５−ｏｘｏ−ＥＴＥとをあらかじめインビトロで接触せしめた後、該５−ｏｘｏ−ＥＴＥ受容体タンパク質発現細胞を被検物質の存在下で培養し、該５−ｏｘｏ−ＥＴＥ受容体タンパク質発現細胞における５−ｏｘｏ−ＥＴＥとの結合状態等の５−ｏｘｏ−ＥＴＥに対する応答を測定・評価する方法や、前記非ヒト動物にあらかじめ被検物質を投与した後、該非ヒト動物から得られる５−ｏｘｏ−ＥＴＥ受容体タンパク質発現細胞を５−ｏｘｏ−ＥＴＥの存在下で培養し、該５−ｏｘｏ−ＥＴＥ受容体タンパク質発現細胞における５−ｏｘｏ−ＥＴＥに対する応答を測定・評価する方法を挙げることができる。
【００３３】
本発明の５−ｏｘｏ−ＥＴＥ受容体タンパク質のアゴニスト等の機能促進物質若しくは５−ｏｘｏ−ＥＴＥ受容体タンパク質のアンタゴニスト等の機能抑制物質や、５−ｏｘｏ−ＥＴＥ受容体タンパク質の発現促進物質若しくは発現抑制物質等は、上記スクリーニング方法により得ることができる。本発明の５−ｏｘｏ−ＥＴＥ受容体のアゴニストとして、具体的に５−ＨＥＴＥ、アラキドン酸等を挙げることができ、５−ｏｘｏ−ＥＴＥ受容体のアンタゴニストとして、エイコサペンタエン酸、ドコサヘキサエン酸、リノレン酸又はそれらの誘導体を挙げることができ、エイコサペンタエン酸の誘導体としては、具体的に５，８，１１，１４−Ｅｉｃｏｓａｔｅｔｒａｙｎｏｉｃ　ａｃｉｄ、５，８，１１−Ｅｉｃｏｓａｔｒｉｙｎｏｉｃ　ａｃｉｄ、Ｅｉｃｏｓａ−１１Ｚ，１４Ｚ，１７Ｚ−ｔｒｉｅｎｏｉｃ　ａｃｉｄ、Ｎ−Ａｃｅｔｙｌ−Ｓ−ｇｅｒａｎｙｌｇｅｒａｎｙｌ−Ｌ−ｃｙｓｔａｉｎｅ等を挙げることができる。また、ドコサヘキサエン酸の誘導体としては、ドコサヘキサエン酸のエステル、アミド等を挙げることができる。
【００３４】
また、本発明の医薬組成物、特に、５−ｏｘｏ−ＥＴＥ受容体タンパク質の機能促進又は発現増強を必要としている患者を治療するのに用いられる医薬組成物としては、有効成分として５−ｏｘｏ−ＥＴＥ受容体タンパク質や、その部分ペプチドの他、前記５−ＨＰＥＴＥ等のアゴニストなどの５−ｏｘｏ−ＥＴＥ受容体タンパク質の機能促進物質や、５−ｏｘｏ−ＥＴＥ受容体タンパク質の発現促進物質を含んでものであれば特に制限されるものではなく、また、他方、５−ｏｘｏ−ＥＴＥ受容体の機能又は発現の抑制を必要としている患者を治療するのに用いられる医薬組成物としては、有効成分として５，８，１１，１４−Ｅｉｃｏｓａｔｅｔｒａｙｎｏｉｃ　ａｃｉｄ等のアンタゴニストなどの５−ｏｘｏ−ＥＴＥ受容体タンパク質の機能抑制物質や、前記本発明のＤＮＡの発現を抑制するＤＮＡ若しくはＲＮＡなどの発現抑制物質を含んでものであれば特に制限されるものではなく、これら医薬組成物を医薬品として用いる場合は、薬学的に許容される通常の担体、結合剤、安定化剤、賦形剤、希釈剤、ｐＨ緩衝剤、崩壊剤、可溶化剤、溶解補助剤、等張剤などの各種調剤用配合成分を添加することができる。これら医薬組成物は、５−ｏｘｏ−ＥＴＥ受容体の機能促進又は発現増強を必要としている疾病や、５−ｏｘｏ−ＥＴＥ受容体の機能又は発現の抑制を必要としている疾病の予防若しくは治療方法に用いることができる。またこれら予防若しくは治療方法においては、患者の性別・体重・症状に見合った適切な投与量の上記医薬組成物を、経口的又は非経口的に投与することができる。すなわち通常用いられる投与形態、例えば粉末、顆粒、カプセル剤、シロップ剤、懸濁液等の剤型で経口的に投与することができ、あるいは、例えば溶液、乳剤、懸濁液等の剤型にしたものを注射の型で非経口投与することができる他、スプレー剤の型で鼻孔内投与することもできる。
【００３５】
本発明の５−ｏｘｏ−ＥＴＥ受容体の機能又は発現に関連する疾病の診断方法としては、検体中の５−ｏｘｏ−ＥＴＥ受容体タンパク質をコードするＤＮＡ配列を、本発明の５−ｏｘｏ−ＥＴＥ受容体タンパク質をコードするＤＮＡ配列と比較する方法であればどのような方法でもよく、また、本発明の５−ｏｘｏ−ＥＴＥ受容体の機能又は発現に関連する疾病の診断用プローブとしては、前記本発明の５−ｏｘｏ−ＥＴＥ受容体タンパク質をコードするＤＮＡ又はＲＮＡのアンチセンス鎖の全部又は一部からなるものであれば特に制限されるものではなく、本発明の５−ｏｘｏ−ＥＴＥ受容体の機能又は発現に関連する疾病の診断薬としては、上記診断用プローブや前記５−ｏｘｏ−ＥＴＥ受容体タンパク質を特異的に認識する抗体を含有するものであれば特に制限されるものではない。
【００３６】
【実施例】
以下に、実施例を揚げてこの発明を更に具体的に説明するが、この発明の範囲はこれらの例示に限定されるものではない。
実施例Ａ（材料と方法）
［ヒトゲノムデータからの推定ＧＰＣＲ遺伝子の抽出］
解析が完了した配列（２０００年８月８日現在のもの）を用いて、ＧＰＣＲ遺伝子の候補となりうるオープンリーディングフレーム（ＯＲＦ：Ｏｐｅｎ　Ｒｅａｄｉｎｇ　Ｆｒａｍｅ）を抽出し、ＳＯＳＵＩによる分析を行った。なお、今回用いたヒトゲノムデータには、同一の確定されていない配列を重複して含んでいるため、ヒトゲノム全体が約３Ｇ塩基対であるのに対してこのデータは約４．５Ｇ塩基対からなる。ヒトゲノムデータから、２００〜１５００のアミノ酸残基をコードするＤＮＡからなる約３３万５千個のＯＲＦを抽出し、この中からＤＮＡの繰り返し配列に由来すると思われるＯＲＦや不確定なアミノ酸が多いＯＲＦや、同じアミノ酸を２０％以上含むＯＲＦを排除することによって約２７万個のＯＲＦを得た。
【００３７】
［ホモロジー（ＢＬＡＳＴ）検索］
上記約２７万個のＯＲＦをＳＯＳＵＩにより分析した結果、膜貫通領域を６〜８個含むＯＲＦが７７８０個得られた。得られたＧＰＣＲ候補７７８０個のＯＲＦの配列を、ＢＬＡＳＴを用いて２０００年８月２０日現在のデータベース“ｎｒ”と照会し、既知のＧＰＣＲとの相同性を調べてみた結果、既知のＧＰＣＲとホモロジーを持つものが１７１４個得られた。さらにこれらの配列から重複したものを除くことによって、既知の嗅覚受容体遺伝子４１種類と、既知の味覚受容体遺伝子１１種類と、嗅覚受容体や味覚受容体以外の既知のＧＰＣＲ遺伝子１２８種類を同定することができた。一方、新規の嗅覚受容体遺伝子２８１種類、新規の味覚受容体遺伝子１１種類、嗅覚受容体や味覚受容体以外の新規なＧＰＣＲ遺伝子を５０個同定した。
【００３８】
［ヒトゲノムからのＧＰＣＲ遺伝子のクローニング］
ＰＣＲ法を用いてこれら新規ＧＰＣＲ遺伝子をヒトゲノムＤＮＡ（ｇｅｎｏｍｉｃＤＮＡ）からクローニングした。ＰＣＲ増幅の条件としては、始めに９８℃で１分間変性させた後、９８℃で３０秒間変性させ、６５℃で３０秒間アニーリングし、７４℃で９０秒間伸長反応させるというサイクルを３０回繰返し、最後に７４℃で３分間伸長反応を行い、その後４℃にてストックした。プライマーとしては、Ｆ；　５’−ＡＡＡＧＣＧＧＣＣＧＣＡＴＧＴＴＧＴＧＴＣＡＣＣＧＴＧＧＴＧＧＣＣ−３’（配列番号１１）とＲ；　５’−ＧＧＣＧＣＴＣＡＧＣＧＴＡＣＡＧＣＣＣＡＴＧＣＣＣＴＧＧＧＡＧＧＡＧＣＣＴＴＣＣＴ−３’（配列番号１２）を用い、またＰＣＲ反応液として以下（表１）の組成のものを用いた。
【００３９】
【表１】
2004049004.tif 000002
【００４０】
さらにそこから終止コドンを除いた配列とＧｉ１αサブユニットの遺伝子（ＦＥＢＳ　Ｌｅｔｔ．　１９７，　１−２，　３０５−３１０，　１９８６）との融合遺伝子を作製し、バキュロウイルスベクターｐＦＡＳＴＢａｃに組み込んだ。この融合遺伝子をもったウイルスを昆虫細胞Ｓｆ９（ＡＴＣＣ　ＣＲＬ−１７１１）に感染させ、ＧＰＣＲ−Ｇｉ１α融合タンパク質を発現させた。細胞を回収し、膜画分を調整して、本発明者らが作製したＧｉ１αに対する抗体でウエスタンブロッティングを行い、融合タンパク質の発現を確認した。
【００４１】
［アゴニスト活性物質のスクリーニング］
融合タンパク質にＧＤＰおよび［３５Ｓ］−ＧＴＰγＳ存在下で各種リガンド候補化合物を作用させ、膜画分に取り込まれた［３５Ｓ］−ＧＴＰγＳの取り込み量を指標に、各ＧＰＣＲに対するアゴニストのスクリーニングを行った。化合物にアゴニスト活性がある場合は化合物がＧＰＣＲに結合し、結果としてＧｉ１αが活性化されるので［３５Ｓ］−ＧＴＰγＳの取り込み量が上昇する。各種リガンド候補物質として約１０００種類の化学物質を検索し、９６穴プレートの放射活性を自動測定できるパッカード社の液体シンチレーションカウンター「トップカウント」を用いてハイスループットスクリーニングを行った。
【００４２】
［５−ｏｘｏ−ＥＴＥ受容体の発現部位］
以上のスクリーニングとは別に、各ＧＰＣＲに対して各種臓器から調整したｍＲＮＡを鋳型にＲＴ−ＰＣＲを行い、発現部位の分布を調べた。プライマーとしては、Ｆ；　５’−ＡＡＡＧＣＧＧＣＣＧＣＡＴＧＴＴＧＴＧＴＣＡＣＣＧＴＧＧＴＧＧＣＣ−３’（配列番号１１）とＲ；　５’−ＧＧＣＧＣＴＣＡＧＣＧＴＡＣＡＧＣＣＣＡＴＧＣＣＣＴＧＧＧＡＧＧＡＧＣＣＴＴＣＣＴ−３’（配列番号１２）を用い、ＰＣＲ増幅の条件としては、始めに９８℃で１分間変性させた後、９８℃で３０秒間変性させ、６５℃で３０秒間アニーリングし、７４℃で９０秒間伸長反応させるというサイクルを３０回繰返し、最後に７４℃で３分間伸長反応を行い、その後４℃にてストックした。またＰＣＲ反応液として以下の組成のものを用いた。
【００４３】
【表２】
2004049004.tif 000003
【００４４】
実施例Ｂ（結果）
［アゴニストのスクリーニング］
上記スクリーニングにより、ＴＨ２４−Ｇｉと命名した特定の融合タンパク質に対して５−ｏｘｏ−ＥＴＥ［化１］、５−ＨＰＥＴＥ［化２］、５−ＨＥＴＥ［化３］、アラキドン酸などがアゴニストとしての活性を持つことがわかった（図１）。各化合物のおおよそのＥＣ５０は、アラキドン酸；約１×１０−６Ｍ、５−ＨＥＴＥ；約１×１０−６Ｍ、５−ＨＰＥＴＥ；約３×１０−８Ｍ、５−ｏｘｏ−ＥＴＥ；約４×１０−９Ｍであったことから、ＴＨ２４のアミノ酸配列をもつ受容体を５−ｏｘｏ−ＥＴＥ受容体と同定した。
【００４５】
【化１】
2004049004.tif 000004
【００４６】
【化２】
2004049004.tif 000005
【００４７】
【化３】
2004049004.tif 000006
【００４８】
これらの物質をＴＨ２４−Ｇｉ融合タンパク質に作用させるとＧｉ１α部分のＧＤＰに対する親和性を減少させることが確認できた。５−ＨＰＥＴＥを用いたときの結果をリガンドが存在しない対照（−）ｌｉｇａｎｄと共に図２に示す。これは５−ＨＰＥＴＥ等の物質が５−ｏｘｏ−ＥＴＥ受容体に対してアゴニスト活性を持つことを支持するものである。
【００４９】
［アンタゴニストのスクリーニング］
さらに５−ｏｘｏ−ＥＴＥを用いて５−ｏｘｏ−ＥＴＥ受容体に対するアンタゴニストのスクリーニングを行った。その結果、高濃度（約１×１０−５Ｍ以上）であればアラキドン酸よりさらに炭素鎖の長いエイコサペンタエン酸やその誘導体であるｅｉｃｏｓａｔｒｉｅｎｏｉｃ　ａｃｉｄ（５，８，１１−Ｅｉｃｏｓａｔｒｉｙｎｏｉｃ　ａｃｉｄ）、ドコサヘキサエン酸などの他、α−リノレン酸（ｌｉｎｏｌｅｎｉｃ　ａｃｉｄ）もアンタゴニストとして働くことがわかった（図３）。これはこれらの脂肪酸がアラキドン酸と類似する構造をもつ一方で、５−ＨＰＥＴＥ、５−ｏｘｏ−ＥＴＥ、５−ＨＥＴＥに共通な５位の酸素を持たないことを考えると妥当な結果である。今後、５位に過酸化酸素やカルボニル酸素を導入した化合物は極めて有用な５−ｏｘｏ−ＥＴＥ受容体に対するアンタゴニストとして働くことが期待できる。
【００５０】
［５−ｏｘｏ−ＥＴＥ受容体の発現分布］
５−ｏｘｏ−ＥＴＥ受容体の発現分布をＲＴ−ＰＣＲで確認した結果は、広く全身に発現しているものの、肝臓や結腸などに比較的強く発現していることがわかった（図４）。ＲＴ−ＰＣＲの結果では５−ｏｘｏ−ＥＴＥ受容体は全身に発現しているとの結果を得たが、おそらくその活性の性質や他の活性脂質の特性との類似性から、リンパ球、特に好中球に発現して機能していると推察される。我々の予備的な実験もそれを支持しているが、一方で臓器の細胞自身が５−ｏｘｏ−ＥＴＥ受容体を発現している可能性も依然として考えるべきである。
【００５１】
［まとめ］
以上のことから５−ＨＰＥＴＥ、５−ｏｘｏ−ＥＴＥに対する受容体の存在が可能性として示唆されてきたが、今回見出された５−ｏｘｏ−ＥＴＥ受容体が、５−ｏｘｏ−ＥＴＥや５−ＨＰＥＴＥに対する生体内受容体である可能性が極めて高い。［３５Ｓ］−ＧＴＰγＳ結合活性から測定したＥＣ５０の値が、これまで報告されている５−ｏｘｏ−ＥＴＥや５−ＨＰＥＴＥの生理活性のＥＣ５０の値とよく一致することもその理由の一つとして挙げることができる。
【００５２】
【発明の効果】
本発明により新しく同定された５−ｏｘｏ−ＥＴＥ受容体は、５−ｏｘｏ−ＥＴＥや５−ＨＰＥＴＥの好中球遊走活性を調節していると考えられることから、５−ｏｘｏ−ＥＴＥや５−ＨＰＥＴＥの他そのアゴニストなどの５−ｏｘｏ−ＥＴＥ受容体の作動剤や、５−ｏｘｏ−ＥＴＥ受容体のアンタゴニストなどの作動抑制剤は、各種免疫系細胞の遊走を活性化・不活性化することで、主に免疫系全般の腑活化・失活化を行う可能性があり、炎症やアレルギーの他、腫瘍の治療薬になる可能性が大きく、それらの疾患に関する薬剤の研究や遺伝子治療などによる新しい応用への可能性も期待される。
【００５３】
【配列表】
2004049004.tif 000007
2004049004.tif 000008
2004049004.tif 000009
2004049004.tif 000010
2004049004.tif 000011
2004049004.tif 000012
2004049004.tif 000013
2004049004.tif 000014
2004049004.tif 000015
2004049004.tif 000016
2004049004.tif 000017
2004049004.tif 000018
2004049004.tif 000019
2004049004.tif 000020
2004049004.tif 000021
2004049004.tif 000022
2004049004.tif 000023
2004049004.tif 000024
2004049004.tif 000025
2004049004.tif 000026
2004049004.tif 000027
2004049004.tif 000028
2004049004.tif 000029
2004049004.tif 000030
2004049004.tif 000031
2004049004.tif 000032
2004049004.tif 000033
2004049004.tif 000034
2004049004.tif 000035
2004049004.tif 000036
【図面の簡単な説明】
【図１】
本発明の５−ｏｘｏ−ＥＴＥ受容体のアゴニストのスクリーニング結果を示す図である。
【図２】
本発明の５−ｏｘｏ−ＥＴＥ受容体のアゴニストのスクリーニング結果を示す図である。
【図３】
本発明の５−ｏｘｏ−ＥＴＥ受容体のアンタゴニストのスクリーニング結果を示す図である。
【図４】
本発明の５−ｏｘｏ−ＥＴＥ受容体の発現分布についてのＲＴ−ＰＣＲの結果を示す図である。
【図１】
2004049004.tif 000037
【図２】
2004049004.tif 000038
【図３】
2004049004.tif 000039
【図４】
2004049004.tif 000040